(57)【要約】【課題】  よりシンプルな構造で、コストパフォーマンスにすぐれ、かつ効率的な固液分離を行うことができ、環境にも優しい便器及びそれを利用したトイレシステムを提供する。【解決手段】  排泄された大便と小便を洗浄水を供給しながら固形分と液体分に分離する固液分離型便器１０であって、便器本体２０は、上方から下方に向けて徐々に縮径する上側部分２１と、上方から下方に向けて徐々に拡径する下側部分２２と、上側部分２１と下側部分２２を連結し断面が緩やかに湾曲したネック状部分２３とから一体形成され、便器本体２０の上部には洗浄水を供給するためのリング状配管２４が組み込まれ、該配管２４から便器内側の斜め下方に向けて螺旋状水流が形成されるように洗浄水を吐出する複数の吐出口２７が便器上部内側の周方向に形成され、該便器本体２０のネック状部２３は、螺旋状水流の遠心力により液体分を固形分から分離しうる湾曲断面形状となっていることを特徴とする。【選択図】      図１
2005127069.tif 000002
【特許請求の範囲】
【請求項１】
排泄された大便と小便を洗浄水を供給しながら固形分と液体分に分離する固液分離型便器であって、
便器本体は、上方から下方に向けて徐々に縮径する上側部分と、上方から下方に向けて徐々に拡径する下側部分と、上側部分と下側部分を連結し断面が緩やかに湾曲したネック状部分とから一体形成され、
便器本体の上部には洗浄水を供給するためのリング状配管が組み込まれ、
該配管から便器内側の斜め下方に向けて螺旋状水流が形成されるように洗浄水を吐出する複数の吐出口が便器上部内側の周方向に形成され、
該便器本体のネック状部は、螺旋状水流の遠心力により液体分を固形分から分離しうる湾曲断面形状となっていることを特徴とする固液分離型便器。
【請求項２】
固形分の排出口が微生物による発酵処理槽に連結されるように構成されていることを特徴とする請求項１に記載の固液分離型便器。
【請求項３】
液体分が浄化処理機構に移送されるように構成されていることを特徴とする請求項１又は２に記載の固液分離型便器。
【請求項４】
該浄化処理機構により浄化された液体が、上記洗浄水としてリサイクル使用されるように構成されていることを特徴とする請求項１〜３のいずれかに記載の固液分離型便器。
【請求項５】
センサーが付設され、該センサーによる使用者の確認により上記洗浄水の供給が開始されることを特徴とする請求項１〜４のいずれかに記載の固液分離型便器。
【発明の詳細な説明】
【技術分野】
【０００１】
本発明は、排泄された大便と小便を洗浄水を供給しながら固形分と液体分に分離する固液分離型便器に関し、特に山小屋や避難小屋、キャンプ場等の浄化設備を備えていない場所でも使用できる固液分離型便器に関するものである。
【背景技術】
【０００２】
上記のように浄化設備を備えていない場所では、トイレを設置した場合、通常、その排泄物は固形分と液体分が一緒の状態で屎尿収容槽に溜められるようになっている。そして貯留した屎尿の量がある程度の量になると、運搬手段により別の場所の処理施設に移送されたり、各種処理剤を投入して処理したりされている。
【０００３】
ところが、このような処理では、コスト面での負担が大きく、また衛生や悪臭等の問題があり、使用者に不快感を与えたり、環境面での問題を引き起こす原因となったりする。そのため、微生物等を用いて発酵処理を行い、コンポスト化する提案がなされている。
しかしながら、固形分と液体分が一緒になった状態では、水分が多すぎるため、効率的にコンポスト化を行うことが困難であった。
【０００４】
このような問題を解決するため、排泄物の固形分と液体分を分離するための機構を設け、固形分は上記のような発酵処理等によるコンポスト化を図るとともに、液体分は浄化処理を行ってリサイクル使用する提案がなされている（特開平１１−１３１５５２号公報等）。
【０００５】
上記のような固液分離機構を用いたトイレシステムでは、より効率的に排泄物のコンポスト化が行われ、液体分も浄化した後、リサイクル使用されるため、上記のような問題が解決されるようになった。
【０００６】
しかしながら、従来の固液分離機構はその構造も複雑で、コストパフォーマンスにもさらに改善の余地があった。そこでよりシンプルな構造で、コストパフォーマンスにすぐれた固液分離機構を備えた便器及びそれを利用したトイレシステムの実現が望まれていた。
【０００７】
【特許文献１】特開平１１−１３１５５２号公報
【発明の開示】
【発明が解決しようとする課題】
【０００８】
本発明は、このような従来技術の実情に鑑みてなされたもので、よりシンプルな構造で、コストパフォーマンスにすぐれ、かつ効率的な固液分離を行うことができ、環境にも優しい便器及びそれを利用したトイレシステムを提供することをその課題とする。
【課題を解決するための手段】
【０００９】
本発明によれば、上記課題は下記の技術的手段により解決される。
（１）排泄された大便と小便を洗浄水を供給しながら固形分と液体分に分離する固液分離型便器であって、
便器本体は、上方から下方に向けて徐々に縮径する上側部分と、上方から下方に向けて徐々に拡径する下側部分と、上側部分と下側部分を連結し断面が緩やかに湾曲したネック状部分とから一体形成され、
便器本体の上部には洗浄水を供給するためのリング状配管が組み込まれ、
該配管から便器内側の斜め下方に向けて螺旋状水流が形成されるように洗浄水を吐出する複数の吐出口が便器上部内側の周方向に形成され、
該便器本体のネック状部は、螺旋状水流の遠心力により液体分を固形分から分離しうる湾曲断面形状となっていることを特徴とする固液分離型便器。
（２）固形分の排出口が微生物による発酵処理槽に連結されるように構成されていることを特徴とする前記（１）に記載の固液分離型便器。
（３）液体分が浄化処理機構に移送されるように構成されていることを特徴とする前記（１）又は（２）に記載の固液分離型便器。
（４）該浄化処理機構により浄化された液体が、上記洗浄水としてリサイクル使用されるように構成されていることを特徴とする前記（１）〜（３）のいずれかに記載の固液分離型便器。
（５）センサーが付設され、該センサーによる使用者の確認により上記洗浄水の供給が開始されることを特徴とする前記（１）〜（４）のいずれかに記載の固液分離型便器。
【発明の効果】
【００１０】
本発明によれば、よりシンプルな構造で、コストパフォーマンスにすぐれ、かつ効率的な固液分離を行うことができ、環境にも優しい便器及びそれを利用したシステムを提供することが可能となる。
【発明を実施するための最良の形態】
【００１１】
以下、本発明の実施の形態を好ましい実施例により詳細に説明する。
本発明による固液分離型便器は、排泄された大便と小便を洗浄水を供給しながら固形分と液体分に分離するものであり、便器本体は、上方から下方に向けて徐々に縮径する上側部分と、上方から下方に向けて徐々に拡径する下側部分と、上側部分と下側部分を連結し断面が緩やかに湾曲したネック状部分とから一体形成され、便器本体の上部には洗浄水を供給するためのリング状配管が組み込まれ、該配管から便器内側の斜め下方に向けて螺旋状水流が形成されるように洗浄水を吐出する複数の吐出口が便器上部内側の周方向に形成され、該便器本体のネック状部は、螺旋状水流の遠心力により液体分を固形分から分離しうる湾曲断面形状となっていることを特徴とする。
【００１２】
図１及び図２はそれぞれ本発明の一実施例の固液分離型便器を示す縦断面図及び平面図である。図中１０は本実施例の便器で、便器本体２０と便座４０からなる（便器蓋は設けても設けなくてもよい）。便器本体２０は、上方から下方に向けて徐々に縮径する上側部分（上湾曲部）２１と、上方から下方に向けて徐々に拡径する下側部分（下湾曲部）２２と、上側部分と下側部分を連結し、断面が緩やかに湾曲したネック状部分（中湾曲部）２３とから一体形成される。本実施例の便器１０では、下記で詳述するように、便器洗浄水が便器本体内部上部から斜め下方に向けて螺旋状水流を形成するように吐出されるが、ネック状部分２３は、その断面形状が、螺旋状水流の遠心力により液体分を固形分から分離しうるような湾曲形状となるように形成されている。便器本体２０は慣用のプラスチック材料から形成されるが、その材料はこれに限定されない。
【００１３】
本実施例の便器１０は、便器本体上側部分２１の上部にリング状配管２４が組み込まれている。このリング状配管２４は、ポンプ２５を介して配管２６に連結され、図示しない洗浄水供給源から洗浄水を供給されるようになっている。また、リング状配管２４の便器内側部分には洗浄水を吐出するための吐出口２７が周方向に沿って一定間隔で複数個（例えば２０個）形成されている。その詳細を図３（ａ）〜（ｃ）に示す。図３（ａ）はリング状配管２４の平面図、図３（ｂ）はＡ−Ａ線断面図、図３（ｃ）はＢ−Ｂ線断面図である。この吐出口２７は、吐出される洗浄水が便器本体上側部分２１で螺旋状水流を形成するような方向を向いて形成されている。また、洗浄水の吐出水圧は、ネック状部分２３において遠心力によりその湾曲形状とあいまって効率的に固液分離ができるような値に設定されている。
【００１４】
便器本体２０の下側部分２２の下方には、固形分を落下させるための筒状の固形分通路２８が設けられており、そのさらに下方には固形分収容槽２９が設置されている。この固形分収容槽２９は、それ自体が微生物による発酵処理槽となっていてもよいし、微生物による発酵処理槽に連結されていてもよい。一方、固形分通路２８の外側には、液体分受部３０が設置されている。この液体分受部３０は、受けた液体分を図示しない浄化処理機構に移送するようになっている。そして、その液体分はこれまで提案されているあるいはこれから提案される浄化処理機構により浄化され、再度、洗浄水としてリサイクル使用されるようになっている。
【００１５】
本実施例の便器１０が設置されるトイレには、図示しないセンサーが設置され、そのセンサーにより、使用者がトイレに入室した際には洗浄水給水システムが作動して便器本体２０内側に洗浄水が供給され始め、使用者がトイレを退室したとき、あるいは設置ボタンを押したときに洗浄水給水システムが停止するようになっている。
【００１６】
上記のような便器１０を上記のようなトイレに設置した場合、使用者が入室するとセンサーがそれを検知し、洗浄水給水システムが作動しポンプ２５により配管２６を介して洗浄水がリング状配管２４の供給され、洗浄水は複数の吐出口２７から便器本体上側部分２１の上部より下方に向けて螺旋状水流を形成するように吐出し始める。そして使用者が利用中には排泄物がその螺旋状水流と一緒になって次第に下方に送られるが、ネック状部分２３により、螺旋状水流と排泄物との混合物は遠心力により、固形分と液体分が分離され、固形分は下方に固形分通路２８を介して固形分収容槽２９に落下収容される。液体分は便器本体下側部分２２の向こう側壁を沿って液体分受部３０に受け取られる。固形分は微生物による発酵処理を施され、コンポスト化される。一方、液体分は浄化処理機構により浄化され、再度、洗浄水としてリサイクル使用される。使用者が退室すると洗浄水供給システムが停止する。
【００１７】
このように、上記のような構成を採用することにより、従来の固液分離機構を用いた便器よりも、よりシンプルな構造で、コストパフォーマンスにすぐれ、かつ効率的な固液分離を行うことができ、環境にやさしいトイレシステムの提供が可能となる。
【００１８】
以上、本発明を一実施例に基づいて説明してきたが、もちろん本発明は上記実施例に限定されるものではなく、種々の変形、変更が可能である。
また、本発明は、山小屋や避難小屋、キャンプ場等の浄化設備を備えていない場所に設置されるトイレだけでなく、家庭用や仮設トイレの他、各種のタイプのトイレに利用することができる。
【図面の簡単な説明】
【００１９】
【図１】本発明の一実施例の固液分離型便器を示す縦断面図である。
【図２】図１の固液分離型便器の平面図である。
【図３】（ａ）はリング状配管の平面図、（ｂ）はＡ−Ａ線断面図、（ｃ）はＢ−Ｂ線断面図である。
【符号の説明】
【００２０】
１０  便器
２０  便器本体
４０  便座
２１  便器本体上側部分
２２  便器本体下側部分
２３  便器本体ネック部分
２４  リング状部分
２５  ポンプ
２６  配管
２７  吐出口
２８  固形分通路
２９  固形分収容槽
３０  液体分受部
【図１】
2005127069.tif 000003
【図２】
2005127069.tif 000004
【図３】
2005127069.tif 000005